(57)【要約】【課題】運転時の蓋体による集塵室の密閉性を向上した電気掃除機を提供する。【解決手段】電気掃除機１は、集塵室12を備えた本体部11を備える。電気掃除機１は、本体部11に対して回動可能に支持されて、回動によって集塵室12を開閉する蓋体21を備える。蓋体21は、蓋体本体22と、腕部26と、を有する。腕部26は、本体部11と蓋体12とを接続する軸32と、蓋体本体22に突設された基端部28とを備える。軸32は、基端部28より、集塵室12側に設けられている。【選択図】図１
2019217101.tif 000002
【特許請求の範囲】
【請求項１】
集塵室を備えた本体部と、
前記本体部に対して回動可能に支持されて、回動によって前記集塵室を開閉する蓋体と、を備え、
前記蓋体は、
蓋体本体と、
前記本体部と前記蓋体とを接続する軸と、前記蓋体本体に突設された基端部とを備える腕部と、を有し、
前記軸は、前記基端部より、前記集塵室側に設けられている
ことを特徴とする電気掃除機。
【請求項２】
前記腕部は、前記基端部に対して前記集塵室側に向かって屈曲して形成されている
ことを特徴とする請求項１記載の電気掃除機。
【請求項３】
前記腕部は、可撓性を有する
ことを特徴とする請求項１又は２記載の電気掃除機。
【発明の詳細な説明】
【技術分野】
【０００１】
本発明の実施形態は、本体部の集塵室を蓋体により開閉する電気掃除機に関する。
【背景技術】
【０００２】
従来、紙パック等の集塵袋を用いる電気掃除機において、集塵袋を装着する集塵室を蓋体によって開閉するものが知られている。蓋体は、集塵室を備える本体部に対して回動軸が支持されて、本体部に対して回動可能となっている。電気掃除機の運転時、集塵室は、電動送風機の駆動によって真空度が上がることで、蓋体がシール部材を締め込み、密閉性が確保される。回動軸が蓋体によるシール部材の締め込み方向に直線状に形成されている場合、回動軸が突っ張ることにより蓋体によるシール部材の締め込みを妨げることがあるため、運転時の蓋体による集塵室の密閉性を向上することが望まれている。
【先行技術文献】
【特許文献】
【０００３】
【特許文献１】特開平４−１０８４２０号公報
【発明の概要】
【発明が解決しようとする課題】
【０００４】
本発明が解決しようとする課題は、運転時の蓋体による集塵室の密閉性を向上した電気掃除機を提供することである。
【課題を解決するための手段】
【０００５】
実施形態の電気掃除機は、集塵室を備えた本体部を備える。電気掃除機は、本体部に対して回動可能に支持されて、回動によって集塵室を開閉する蓋体を備える。蓋体は、蓋体本体と、腕部と、を有する。腕部は、本体部と蓋体とを接続する軸と、蓋体本体に突設された基端部とを備える。軸は、基端部より、集塵室側に設けられている。
【図面の簡単な説明】
【０００６】
【図１】一実施形態の電気掃除機の掃除機本体の一部の断面図である。
【図２】同上掃除機本体の斜視図である。
【図３】同上電気掃除機の斜視図である。
【発明を実施するための形態】
【０００７】
以下、一実施形態について図面を参照して説明する。
【０００８】
図３において、１は電気掃除機である。電気掃除機１は、本実施形態において、ユーザが床面上を走行させて移動させ、床面上の塵埃を掃除する床面を掃除する。本実施形態では、電気掃除機１として、キャニスタ型の電気掃除機を例に挙げて説明するが、アップライト型やスティック型、ハンディ型の電気掃除機等でもよく、自律走行式のロボットクリーナ等でもよい。以下、本実施形態において、前後方向、左右方向および上下方向は、キャニスタ型の電気掃除機１を床面等の平面に載置した状態を基準として説明するが、これに限定されるものではなく、電気掃除機１の形状等に応じて各方向は適宜設定可能である。
【０００９】
電気掃除機１は、掃除機本体２を備えている。掃除機本体２には、本実施形態において、風路体３が着脱可能に接続される。風路体３は、吸込風路を形成するものである。風路体３は、本実施形態において、ホース体４、延長管５、および、吸込口体６を備えている。また、風路体３は、ユーザが把持操作する操作部７を備えている。操作部７には、電気掃除機１の起動および停止を設定する設定手段８が配置されている。なお、風路体３は、電気掃除機１がアップライト型やスティック型、ハンディ型の場合にはそれぞれの態様に対応する構成とすればよく、電気掃除機１がロボットクリーナである場合には不要である。
【００１０】
掃除機本体２には、吸込口９が形成されている。吸込口９は、掃除機本体２の前端に位置している。本実施形態において、吸込口９には風路体３が接続される。
【００１１】
また、図１および図２に示すように、掃除機本体２は、本体部11を備えている。本体部11には、集塵室12が形成されている。集塵室12は、掃除機本体２の前部に形成されている。集塵室12は、吸込口９と連通している。本実施形態の集塵室12は、上側が開口されている。集塵室12の開口縁には、集塵室12を密閉するためのシール部材13が取り付けられている。シール部材13は、例えば弾性変形可能な部材により形成される。シール部材13は、集塵室12の開口縁に沿って連なって配置される。また、集塵室12には、集塵袋14が取り付けられる。集塵袋14は、含塵空気から塵埃を濾過捕集するものである。集塵袋14としては、紙パックや布パック等が用いられる。図１において、集塵袋14は、折り畳まれた使用前の状態を示すが、含塵空気が内部に導入されることにより集塵室12内で膨らむようになっている。集塵袋14は、集塵室12に配置された保持手段15により集塵室12に対して着脱可能となっている。保持手段15は、吸込口９に臨んで集塵室12の前部に配置されている。また、本体部11には、吸引源となる電動送風機16が配置されている。電動送風機16は、本体部11の後部に配置されている。電動送風機16の吸気側は、集塵室12と連通している。また、電動送風機16の吸気側には、本実施形態において、集塵室12との間にフィルタ17が配置されているが、フィルタ17は必須の構成ではない。さらに、電動送風機16の排気側は、掃除機本体２に設けられた排気口に連通している。さらに、本体部11には、電動送風機16の動作を制御する制御部19が配置されている。制御部19は、本実施形態において、電動送風機16の上方に配置されているが、この配置に限られるものではない。また、本体部11には、電動送風機16等に給電する電源部が配置されている。電源部としては、本実施形態において、外部電源から給電するためのコードリール装置が用いられるが、二次電池等の内部電源を用いてもよい。
【００１２】
また、図１に示すように、掃除機本体２は、蓋体21を備えている。蓋体21は、本体部11に回動可能に支持され、回動によって集塵室12を開閉する。本実施形態の蓋体21は、集塵室12の上側に位置して本体部11に取り付けられている。
【００１３】
蓋体21は、蓋体本体22を備えている。蓋体本体22は、集塵室12を覆うものである。蓋体本体22は、掃除機本体２の外装となる外装部である。
【００１４】
また、蓋体21は、運転時に集塵室12のシール部材13を締め込むための締込部23を備えている。締込部23は、本実施形態において、蓋体本体22の集塵室12に対向する部分である主体部22aの裏面等に、集塵室12に向かって突出して形成されたリブである。締込部23は、蓋体本体22から突出しているとともに、集塵室12の開口縁の形状に沿って枠状に形成されている。本実施形態の締込部23は、シール部材13と同様に、集塵室12の開口縁の形状に沿って連なって形成されている。
【００１５】
さらに、蓋体21は、補強部24を備えている。本実施形態の補強部24は、蓋体本体22の集塵室12に対向する部分である主体部22aの裏面、および、締込部23等に連接して複数形成されたリブである。
【００１６】
また、蓋体21は、係止手段25により本体部11に対して係脱可能となっている。本実施形態の係止手段25は、蓋体本体22の前端部に設けられ、ユーザにより操作されることで本体部11に対する蓋体21の係止を解除可能となっているが、この構成に限られず、例えば本体部11に設けられていてもよい。
【００１７】
さらに、蓋体21は、腕部26を備えている。腕部26は、蓋体21を本体部11に対して回動可能に支持するものである。腕部26は、蓋体本体22に突設されている。また、腕部26は、蓋体本体22の集塵室12に対向しない部分である延出部22bの裏面に突設されている。本実施形態の腕部26は、蓋体本体22の後端部寄りに設けられている。図１に示す例では、腕部26は、蓋体本体22において、係止手段25とは反対側の端部近傍に位置し、集塵室12よりも後方に位置している。また、腕部26は、締込部23の外側に位置している。本実施形態の腕部26は、集塵室12の後方に離れて位置している。さらに、腕部26は、蓋体本体22との接続部に対して蓋体21の回動端側の位置が本体部11に回動可能に支持されている。本実施形態の腕部26は、蓋体本体22との接続部よりも蓋体本体22の内側の位置が本体部11に対して回動可能に支持されている。さらに、腕部26は、本実施形態において、蓋体本体22の外縁から外側に突出することなく位置している。図１に示す例では、腕部26は、蓋体本体22との接続部よりも前側の位置が本体部11に対して回動可能に支持されている。また、腕部26は、本実施形態において、蓋体本体22との接続部よりも集塵室12に近い位置が本体部11に対して回動可能に支持されている。蓋体21は、前側が上下に回動するように本体部11に対して支持される。
【００１８】
また、本実施形態の腕部26は、蓋体本体22に突出された基端部28と、本体部11と蓋体21とを接続する軸32とを有している。軸32は、基端部28より集塵室12側に設けられている。また、軸32は、腕部26の他端である先端部29に設けられ、基端部28と逆側である。基端部28は、蓋体本体22との接続部である。腕部26は、基端部28に対して集塵室12側に向かって屈曲されて形成されている。本実施形態では、腕部26はＬ字状であって、このような形状に限定されない。基端部28は、蓋体本体22から、蓋体本体22の面方向に対して交差する方向に突出している。本実施形態の基端部28は、蓋体21により集塵室12を閉じた状態で、蓋体本体22から下方に向かって突出している。また、先端部29は、基端部28から蓋体本体22の内側に向かい、蓋体本体22に沿って吸込口９の方向に突出している。本実施形態の先端部29は、基端部28から吸込口９側に向かって突出している。先端部29は、本体部11に対して、軸32を介して本体部11から突出する軸受部30に回動可能に支持されている。軸受部30は、集塵室12の縁部にてシール部材13の外側の位置に突出している。本実施形態の軸受部30は、集塵室12の後方の位置で、本体部11から蓋体21の方向に向かって直線状に突出している。腕部26の先端部29の軸32により、蓋体21が軸受部30の先端側に回動可能に支持されている。また、軸受部30の近傍には、蓋体21を回動させたときに蓋体本体22と本体部11との干渉を避けるための空間部31が形成されている。空間部31は、軸受部30の集塵室12に対して反対側の位置で本体部11に形成されている。本実施形態の空間部31は、軸受部30の後側の位置で本体部11の上部に左右方向に亘って形成されている。
【００１９】
また、本実施形態において、図２に示すように、腕部26および軸受部30は、左右方向に離れて一対設けられている。各腕部26は、本実施形態において、蓋体本体22と一体的に合成樹脂等により成形され、可撓性を有している。
【００２０】
次に、一実施形態の作用を説明する。
【００２１】
集塵袋14が集塵室12に装着されていない場合には、ユーザは掃除を開始する前に集塵室12に集塵袋14を装着し、蓋体21を回動させて集塵室12を閉じて、係止手段25により蓋体21を本体部11に係止する。この状態で、蓋体21の締込部23がシール部材13に対して圧接され、集塵室12を密閉する。
【００２２】
ユーザが設定手段８を操作することで電気掃除機１が起動すると、電動送風機16が動作して負圧を発生させる。そして、集塵室12内の真空度が高まると、蓋体21を集塵室12側に引き込む力が生じ、図１の二点鎖線Ａに示すように、この力によって腕部26が撓むことで蓋体21が集塵室12側に下がって締込部23がシール部材13を強く締め込んで、集塵室12の密閉性を向上する。なお、図１の二点鎖線Ａは、説明をより明確にするために、誇張して図示している。
【００２３】
ユーザは操作部７を把持操作し、吸込口体６等から床面の塵埃を空気とともに吸い込む。そして、含塵空気は吸込口９から、集塵室12に装着された集塵袋14へと吸い込まれ、集塵袋14において塵埃が分離捕集される。塵埃が分離された空気は、フィルタ17を通過して電動送風機16に吸い込まれる。電動送風機16に吸い込まれた空気は、電動送風機16を冷却した後、電動送風機16から排気され、さらに排気口を介して掃除機本体２の外部へと排出される。
【００２４】
掃除が終了し、ユーザが設定手段８を操作することで電気掃除機１が運転を停止すると、集塵室12内の真空度が徐々に低下し、腕部26の撓みが復帰して、蓋体21は集塵室12を容易に開閉可能となる。集塵袋14に塵埃が所定量以上溜まって電動送風機16の吸引力が低下すると、ユーザは蓋体21を回動させて集塵室12を開き、保持手段15による集塵袋14の保持を解除し、集塵袋14を集塵室12から取り外して塵埃とともに廃棄する。
【００２５】
以上説明した一実施形態によれば、腕部26の軸32が基端部28より集塵室12側に設けられていることで、電気掃除機１の運転時に集塵室12の真空度が高まったときに、蓋体21が集塵室12へと引き込まれる力に対し腕部26を突っ張りにくくして、締込部23によるシール部材13の締め込みを向上できる。そのため、運転時の蓋体21による集塵室12の密閉性を向上できる。
【００２６】
腕部26は、基端部28に対して集塵室12側に向かって屈曲して形成されたＬ字状であるため、電気掃除機１の運転時に集塵室12の真空度が高まったときに、蓋体21が集塵室12へと引き込まれる力に対し腕部26を撓みやすくすることができ、運転時の蓋体21による集塵室12の密閉性を向上できる。
【００２７】
さらに、腕部26は、蓋体本体22の外縁から外側に突出しないので、蓋体21が大型化することを抑制できる。
【００２８】
また、従来の本体部11には、電動送風機16や制御部19、電源部等の構造物が収容されており、蓋体21を回動可能に支持するためのスペースを多く取ることが容易でない。本実施形態では、腕部26が蓋体本体22の内側に位置することで、蓋体本体22の内側の空間を利用して腕部26を配置できる。このため、腕部を蓋体本体から外側に延ばす構成と比較して、本体部11に腕部26を回動可能に支持するスペースを別途取る必要がなく、掃除機本体２を小型化することが可能になる。
【００２９】
腕部26が可撓性を有するため、電気掃除機１の運転時に集塵室12の真空度が高まったときに、腕部26をより撓みやすくでき、集塵室12の密閉性を向上できる。
【００３０】
なお、上記一実施の形態では、上側が開口された集塵室12を蓋体21により開閉する構成としたが、この構成に限らず、前や左右が開口された集塵室12を蓋体21により開閉する構成にも適用できる。
【００３１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３２】
１    電気掃除機
11    本体部
12    集塵室
21    蓋体
22    蓋体本体
26    腕部
28    基端部
32    軸
【図１】
2019217101.tif 000003
【図２】
2019217101.tif 000004
【図３】
2019217101.tif 000005